(57)【特許請求の範囲】
【請求項１】
複数の照明機器のうち関連付けがなされている照明機器それぞれを識別する照明識別子を記憶する記憶手段、及び記憶されている照明識別子を無線で送信する第１送信手段を備えるタグと、
前記タグから前記照明識別子を受信すると、受信した前記照明識別子が示す照明機器に対して点灯に係る制御を行う制御手段を備えるタグリーダとから構成される
ことを特徴とする照明制御システム。
【請求項２】
前記タグには、
当該タグで記憶されている照明識別子それぞれに対応する照明機器の制御を行う通常モードと、照明識別子を前記タグへ登録する登録モードとがあり、
前記複数の照明機器は、
当該照明機器が点灯中に、当該照明機器の照明識別子を送信する第２送信手段を備え、
前記タグは、さらに、
登録モードにおいて、前記第２送信手段から送信された照明識別子を受信する識別子受信手段と、
受信した照明識別子を前記記憶手段へ登録する登録手段とを備える
ことを特徴とする請求項１に記載の照明制御システム。
【請求項３】
前記第２送信手段は、可視光伝送又は赤外線伝送により前記照明識別子を送信し、
前記識別子受信手段は、前記可視光伝送又は前記赤外線伝送により送信された可視光又は赤外線を受光するものであり、
前記タグは、さらに、
前記識別子受信手段による受光感度を測定する測定手段を備え、
前記登録手段は、
測定した受光感度が所定以上である場合に、受光した可視光又は赤外線に含まれる照明識別子を前記記憶手段へ登録する
ことを特徴とする請求項２に記載の照明制御システム。
【請求項４】
前記第２送信手段は、可視光伝送又は赤外線伝送により前記照明識別子を送信し、
前記照明制御システムは、さらに、
前記赤外線伝送又は可視光伝送により送信された前記照明識別子を受信し、受信した前記照明識別子を前記タグリーダへ送信する送受信装置を備え、
前記タグリーダは、さらに、
前記送受信装置から受信した前記照明識別子を、無線通信により送信する無線送信手段を備え、
前記識別子受信手段は、前記無線手段で送信された前記照明識別子を受信する
ことを特徴とする請求項２に記載の照明制御システム。
【請求項５】
前記第２送信手段は、
前記タグリーダからの開始指示、又は前記タグからの開始指示により、前記照明識別子の送信を開始する
ことを特徴とする請求項２に記載の照明制御システム。
【請求項６】
前記タグは、さらに、
他のタグへ前記記憶手段で記憶されている照明識別子を複写する複写指示を受け付ける受付手段と、
前記複写指示が受け付けられると、前記記憶手段で記憶している全ての照明識別子又は一部の照明識別子を前記他のタグへ複写する複写手段とを備える
ことを特徴とする請求項２に記載の照明制御システム。
【請求項７】
前記タグは、さらに、
他のタグへ前記記憶手段で記憶されている照明識別子を複写する複写指示を受け付ける受付手段とを備え、
前記送信手段は、さらに、
前記複写指示が受け付けられると、前記記憶手段で記憶している全ての照明識別子又は一部の照明識別子を含む複写情報を前記タグリーダへ送信し、
前記タグリーダは、さらに、
前記複写情報を受信する受信手段と、
前記複写情報が受信されると、前記他のタグへ前記複写情報に含まれる照明識別子を複写する複写手段とを備える
ことを特徴とする請求項２に記載の照明制御システム。
【請求項８】
前記照明制御システムには、
前記タグと関連付けられた照明機器の制御を行う通常モードと、照明識別子を前記タグへ登録する登録モードとがあり、
前記複数の照明機器は、
前記登録モードにおいて当該照明機器が点灯中に、当該照明機器の照明識別子を送信する第２送信手段を備え、
前記タグは、さらに、
前記登録モードにおいて、前記第２送信手段から送信された照明識別子を受信する識別子受信手段と、
受信した照明識別子を前記記憶手段へ登録する登録手段とを備える
ことを特徴とする請求項１に記載の照明制御システム。
【発明の詳細な説明】
【技術分野】
【０００１】
本発明は、照明機器の制御を行うシステムに関するものである。
【背景技術】
【０００２】
従来、ビルのフロアの一区画（エリア）が利用される場合、その利用者は、例えば壁面に備えられた照明スイッチを操作して、利用するエリア内の照明機器を点灯させている。このような操作では、複数のスイッチを操作することで、利用するエリアの複数の照明機器の点灯を制御する場合がある。
そこで、特許文献１では、予めグルーピングされた照明機器（例えば、エリア毎にグルーピングされた照明機器）に対して、タッチパネル上の１回の点灯操作により、複数のスイッチを操作することなく点灯・消灯を制御する技術が開示されている。
【先行技術文献】
【特許文献】
【０００３】
【特許文献１】特開平１０−２４３４７８号公報
【発明の概要】
【発明が解決しようとする課題】
【０００４】
しかしながら、照明スイッチの操作にしろ、特許文献１に開示されているタッチパネル上の操作にしろ、人の操作が必要であるので、利用者はその操作が煩わしいと感じるときがある。例えば、あるエリアを利用したい人物が、両手に荷物を抱えている場合である。
そこで、本発明は、上述の問題に鑑みてなされたものであって、人の操作を必要とすることなく照明の制御を容易に行うことのできる照明制御システムを提供することを目的とする。
【課題を解決するための手段】
【０００５】
上記目的を達成するために、本発明は、照明制御システムであって、複数の照明機器のうち関連付けがなされている照明機器それぞれを識別する照明識別子を記憶する記憶手段、及び記憶されている照明識別子を無線で送信する第１送信手段を備えるタグと、前記タグから前記照明識別子を受信すると、受信した前記照明識別子が示す照明機器に対して点灯に係る制御を行う制御手段を備えるタグリーダとから構成されることを特徴とする。
【発明の効果】
【０００６】
この構成によると、照明制御システムは、タグが自身で記憶している照明識別子を送信し、送信された照明識別子を受信したタグリーダが当該受信した照明識別子に基づいて点灯に係る制御を行う。これにより、照明制御システムは、照明機器の制御を人の操作を介することなく行うことができる。
【図面の簡単な説明】
【０００７】
【図１】照明制御システム１の概要を示す図である。
【図２】タグリーダ１０ａの構成を示すブロック図である。
【図３】照明管理テーブル１７１のデータ構造の一例を示す図である。
【図４】タグ２０ａの構成を示すブロック図である。
【図５】照明情報テーブル２３２のデータ構造の一例を示す図である。
【図６】照明機器の構成を示すブロック図である。
【図７】照明制御処理の概要を示す流れ図である。
【図８】通常機能の実行時におけるタグ２０ａの処理を示す流れ図である。
【図９】照明制御時のタグリーダ１０ａの処理を示す流れ図である。
【図１０】登録機能の実行時におけるタグ２０ａの処理を示す流れ図である。
【図１１】タグ間における複写処理を示す流れ図である。
【図１２】登録機能の実行時に照度を用いた場合におけるタグ２０ａの処理を示す流れ図である。
【図１３】照明制御システム１０００の概要を示す図である。
【図１４】タグリーダ１０１０ａの構成を示すブロック図である。
【図１５】タグ１０２０ａの構成を示すブロック図である。
【図１６】受信装置１０４０ａの構成を示すブロック図である。
【図１７】変形例２における照明識別子の登録の処理を示す流れ図である。
【発明を実施するための形態】
【０００８】
以下、本発明の一実施形態である照明制御システム１について、図面を参照しながら説明する。
１．第１の実施の形態
１．１  概要
実施の形態に係る照明制御システム１は、図１に示すように、タグリーダ（以下、「ＴＲ」ともいう。）１０ａ、１０ｂと、タグ２０ａ〜２０ｅと、照明機器３０ａ〜３０ｊとから構成されている。
【０００９】
本実施の形態においては、ＴＲ１０ａは照明機器３０ａ〜３０ｅと、ＴＲ１０ｂは照明機器３０ｆ〜３０ｊと、それぞれ有線接続されている。
照明制御システム１は、フロア２内のエリアＡ、Ｂにおいて、エリアに存在するタグとタグリーダとの通信により、当該エリアに存在する照明機器の点灯に係る制御を行う。ここで、点灯に係る制御とは、例えば、照明機器の電源をオンにする制御である。
【００１０】
ＴＲ１０ａ、１０ｂは、エリア内に存在するタグと通信を行うために、一定の周期（Ｔ０）毎に、ＬＦ（ＬｏｗＦｒｅｑｕｅｎｃｙ）帯（１３５ｋＨｚ帯）の一周波数を用いて起動信号を発報している。この起動信号には、当該起動信号を発報したリーダ識別子が含まれている。ここで、リーダ識別子とはＴＲを識別するためのものであり、例えば、ＭＡＣアドレス（Ｍｅｄｉａ  Ａｃｃｅｓｓ  Ｃｏｎｔｒｏｌ  ａｄｄｒｅｓｓ）である。
【００１１】
ＴＲ１０ａ、１０ｂは、発報した起動信号を受信したタグから、起動信号に対する応答を示す応答信号を受信する。ここで、応答信号には、受信した起動信号に含まれるリーダ識別子と、制御すべき照明機器を識別する照明識別子とが含まれている。
ＴＲ１０ａ、１０ｂは、受信した応答信号に含まれるリーダ識別子を基に当該応答信号が自身宛のものであるか否かを判断する。自身宛であると判断する場合において、ＴＲ１０ａ、１０ｂは、応答信号に含まれる全ての照明識別子に対応する照明機器の点灯に係る制御を行う。
【００１２】
照明機器３０ａ〜３０ｊそれぞれは、点灯中において、当該照明機器を識別するための照明識別子を含む照明識別信号を可視光通信により送信している。
タグ２０ａ〜２０ｅには、照明機器を制御する照明機器の照明制御を行う通常機能と、タグと当該タグで制御すべき照明機器とを関連付ける登録機能とを有している。
タグ２０ａ〜２０ｅは、１つ以上の照明機器の照明識別子を記憶している。
【００１３】
タグ２０ａ〜２０ｅは、通常機能時において、あるエリアにて当該エリアに存在するＴＲから起動信号を受信すると、受信した起動信号に含まれるリーダ識別子と、記憶している全ての照明識別子とを含む応答信号を送信する。
タグ２０ａ〜２０ｅは、登録機能時において、あるエリアにて当該エリアに存在する点灯中の照明機器から可視光通信により、当該照明機器の照明識別子を受信すると、受信した照明識別子を記憶する。
【００１４】
なお、タグ２０ａ〜２０ｅそれぞれは、応答信号を送信する場合には、ＵＨＦ（ＵｌｔｒａＨｉｇｈ Ｆｒｅｑｕｅｎｃｙ）帯（４００ＭＨｚ帯）の一周波数を用いるものとする。
以上により、照明制御システム１の概要の説明を終える。
以下、各装置の詳細について説明する。
【００１５】
１．２  タグリーダ（ＴＲ）１０ａ、１０ｂ
タグリーダ１０ａ、１０ｂの構成要素は同じであるので、ここでは、タグリーダ１０ａの構成要素について説明する。
タグリーダ１０ａは、図２に示すように、Ｉ／Ｆ（ＩｎｔｅｒＦａｃｅ）部１１０と、ＬＦ帯送受信部１４０と、小電力受信部（ＵＨＦ帯受信部）１５０と、記憶部１７０と、制御部１８０とから構成される。
【００１６】
（１）Ｉ／Ｆ部１１０
Ｉ／Ｆ部１１０は、照明機器３０ａ〜３０ｅと予め定められた通信規格（例えばＲＳ−４８５規格）に従って通信を実行する機能を有する。具体的には、Ｉ／Ｆ部１１０は、照明機器３０ａ〜３０ｅから送信されてくる信号を制御部１８０に伝達する機能と、制御部１８０から伝達されてきた照明の点灯に係る制御信号を照明機器３０ａ〜３０ｅに送信する機能とを有する。
【００１７】
（２）ＬＦ帯送受信部１４０
ＬＦ帯送受信部１４０は、タグ２０ａ〜２０ｄと通信を実行するものであり、制御部１８０から伝達された信号（例えば、起動信号）を変調して、ＬＦ帯でＬＦアンテナ１４１を介して送信する機能を有している。また、ＬＦ帯送受信部１４０は、ＬＦ帯で送信されてきた信号を受信して制御部１８０に伝達する機能とも有している。
【００１８】
（３）小電力受信部１５０
小電力受信部１５０は、タグ２０ａ〜２０ｅからの信号をＵＨＦ帯でＵＨＦアンテナ１５１を介して受信し、受信した信号を復調して制御部１８０に伝達する機能を有する。
具体的には、タグ２０ａ〜２０ｅから送信された応答信号を受信し、受信した応答信号を復調して制御部１８０へ伝達する。
【００１９】
（４）記憶部１７０
記憶部１７０は、図２に示すように、照明管理テーブル１７１を有している。
照明管理テーブル１７１は、図３に示すように、有線接続された照明機器３０ａ〜３０ｅそれぞれの照明識別子を記憶している。
（５）制御部１８０
制御部１８０は、予め記憶されているプログラムを実行することによりタグリーダ１０ａの各部を制御する機能を有する。
【００２０】
制御部１８０は、所定の周期Ｔ０毎に１回、起動信号が発報されるようＬＦ帯送受信部１４０の動作を制御する。
制御部１８０は、小電力受信部１５０で自身宛の応答信号が受信されると、受信した応答信号に含まれる全ての照明識別子を取得する。
制御部１８０は、照明管理テーブル１７１を用いて、取得した照明識別子のうち、自身が制御すべき照明機器を特定する。具体的には、制御部１８０は、取得した照明識別子毎に、取得した照明識別子と同一のものが照明管理テーブル１７１存在するか否かを判断し、存在する場合には、当該照明識別子が示す照明機器を制御すべきものとして特定する。存在しない場合には、当該照明識別子が示す照明機器を制御すべきものでないとする。
【００２１】
制御すべき照明機器が特定された場合には、制御部１８０は、特定された照明機器それぞれの照明識別子を含む制御信号を、特定された照明機器へＩ／Ｆ部１１０を介して送信する。
ここで、自身宛の応答信号であるかの判断は、応答信号に含まれるリーダ識別子が、自身が保持するリーダ識別子と同一である否かに基づいて行うことができる。
【００２２】
１．３  タグ２０ａ〜２０ｅ
タグ２０ａ〜２０ｅの構成要素は同じであるので、タグ２０ａについてのみ説明する。
タグ２０ａは、図４に示すように、ＬＦ帯送受信部２１０、小電力送受信（ＵＨＦ帯送信部）２２０、メモリ２３０、ボタン２４０、通知部２５０、電池２６０、制御部２７０及び受光部２８０から構成されている。
【００２３】
（１）ＬＦ帯送受信部２１０
ＬＦ帯送受信部２１０は、ＬＦアンテナ２１１を介して、タグリーダ１０ａ及び１０ｂからの信号（例えば、起動信号）を受信して、受信した信号を復調して制御部２７０に伝達する機能を有する。また、ＬＦ帯送受信部２１０は、制御部２７０から伝達されてきた信号を変調してＬＦアンテナ２１１を介して送信する機能をも有する。
【００２４】
（２）小電力送受信部２２０
小電力送受信部２２０は、制御部２７０から伝達されてきた応答信号及び複写信号を変調してＵＨＦアンテナ２２１を介して送信する機能を有する。また、小電力送受信部２２０は、ＵＨＦアンテナ２２１を介して受信した複写信号を復調して制御部２７０へ伝達する機能を有する。なお、複写信号については、後述する。
【００２５】
（３）メモリ２３０
メモリ２３０は、図４に示すように、照明情報テーブル２３２を記憶している。
照明情報テーブル２３２は、図５に示すように、１つ以上の照明識別子を記憶するための領域を有している。
（４）ボタン２４０
ボタン２４０は、ユーザからの操作を受け付けるボタンであり、ユーザの押下を受け付けた場合に、その旨を制御部２７０に伝達する機能を有する。
【００２６】
具体的には、ボタン２４０は、通常モードから登録モードへの切替の指示を受け付けると、通常モードから登録モードへの切替を指示する第１切替指示を制御部２７０へ通知する。
ボタン２４０は、登録モードから通常モードへの切替の指示を受け付けると、登録モードから通常モードへの切替を指示する第２切替指示を制御部２７０へ通知する。
【００２７】
（５）通知部２５０
通知部２５０は、ＴＲ１０ａの化粧パネルに備えられたＬＥＤ（Ｌｉｇｈｔ  Ｅｍｉｔｔｉｎｇ  Ｄｉｏｄｅ：発光ダイオード）あるいはＬＣＤ（Ｌｉｑｕｉｄ  Ｃｒｙｓｔａｌ  Ｄｉｓｐｌａｙ：液晶ディスプレイ）を用いて、タグ識別子の登録に係る情報をユーザに通知する機能を有する。
【００２８】
（６）電池２６０
電池２６０は、ＵＨＦ帯で応答信号を送信するための電力を小電力送受信部２２０と制御部２７０に供給する機能を有する。
（７）制御部２７０
制御部２７０は、タグ２０ａの各部を制御する機能を有する。制御部２７０は、図４に示すように、モード切替部２７１、照明制御部２７２、登録処理部２７３及び複写部２７４を有している。
【００２９】
（７−１）切替部２７１
切替部２７１は、タグ２０ａにおける通常機能と登録機能との切替を行うものである。
切替部２７１は、ボタン２４０から第１切替指示を受け取ると、登録処理部２７３の機能を有効と、照明制御部２７２の機能を無効となるよう制御する。具体的には、切替部２７１は、第１切替指示が受け取ると、登録処理部２７３へ電力が供給され、照明制御部２７２へ電力が供給されないよう制御する。
【００３０】
切替部２７１は、ボタン２４０から第２切替指示を受け取ると、登録処理部２７３の機能を無効と、照明制御部２７２の機能を有効となるよう制御する。具体的には、切替部２７１は、第２切替指示が受信されると、照明制御部２７２へ電力が供給され、登録処理部２７３へ電力が供給されないよう制御する。
（７−２）照明制御部２７２
照明制御部２７２は、通常機能の実行時における制御を行うものである。
【００３１】
照明制御部２７２は、ＬＦ帯送受信部２１０で起動信号を受信すると、記憶している全ての照明識別子を照明情報テーブル２３２から取得する。照明制御部２７２は、取得した全ての照明識別子と、受信した起動信号に含まれるリーダ識別子とを含む応答信号を小電力送受信部２２０を介して送信する。
（７−３）登録処理部２７３
登録処理部２７３は、登録機能の実行時における制御を行うものである。
【００３２】
登録処理部２７３は、可視光通信により送信された照明識別信号に含まれる照明識別子を取得して、照明情報テーブル２３２へ書き込む（登録する）。なお、本実施の形態においては、ユーザは、タグの登録機能を実行する場合には、制御を所望する照明機器の近くで行うものとする。
（７−４）複写部２７４
複写部２７４は、自身が保持している照明情報テーブル２３２の内容を、他のタグへコピーする制御を行うものである。
【００３３】
複写部２７４は、ユーザによるボタン２４０の操作によりコピー（複写）を行う旨の指示を受け付けると、照明情報テーブル２３２で保持されている内容（記憶されている全ての照明識別子）をメモリ２３０から取得する。
複写部２７４は、取得した照明情報テーブル２３２で保持されている内容を含む複写信号を、小電力送受信部２２０を介して送信する。
【００３４】
また、複写部２７４は、他のタグから複写信号を受信すると、受信した複写信号に含まれる内容（記憶されている全ての照明識別子）をメモリ２３０の照明情報テーブル２３２へ書き込む。
（８）受光部２８０
受光部２８０は、フォトダイオードを含むものである。
【００３５】
受光部２８０は、フォトダイオードで、可視光を受光すると、受光した光を電気信号へと変換する。
その後、受光部２８０は、変換された電気信号に対する復調を行い、照明識別信号を取得し、登録処理部２７３へ出力する。
１．４  照明機器３０ａ〜３０ｊ
照明機器３０ａ〜３０ｊの構成要素は同じであるので、照明機器３０ａについてのみ説明する。
【００３６】
照明機器３０ａは、図６に示すように、Ｉ／Ｆ部３１０、記憶部３２０、通信処理部３３０、可視光通信部３４０、照明制御部３５０及びランプ３６０から構成されている。
（１）Ｉ／Ｆ部３１０
Ｉ／Ｆ部３１０は、ＴＲ１０ａと予め定められた通信規格（例えばＲＳ−４８５規格）に従って通信を実行する機能を有する。具体的には、Ｉ／Ｆ部３１０は、ＴＲ１０ａから送信されてくる制御信号を通信処理部３３０に伝達する機能と、通信処理３３０から伝達されてきた信号をＴＲ１０ａに送信する機能とを有する。
【００３７】
（２）記憶部３２０
記憶部３２０は、当該照明機器の照明識別子を記憶している。
（３）通信処理部３３０
通信処理部３３０は、Ｉ／Ｆ部３１０で制御信号が受信されると、照明の点灯に係る指示を照明制御部３５０へ出力する。
【００３８】
また、通信処理部３３０は、記憶部３２０から照明識別子を取得し、取得した照明識別子を含む照明識別信号を可視光通信部３４０へ出力する。なお、通信処理部３３０は、照明が点灯している間、照明識別信号を定期的（例えば、周期Ｔ０）に可視光通信部３４０へ出力するものとする。
（４）可視光通信部３４０
可視光通信部３４０は、可視光通信に係る処理を行う機能を有するものである。
【００３９】
可視光通信部３４０は、ＬＥＤを光源とし、ＬＥＤの光出力に対する変調制御を行い、変調制御されたＬＥＤに照明識別信号を重畳させて出力すべき可視光を生成する。可視光通信部３４０は、生成した可視光を出力する。
（５）照明制御部３５０
照明制御部３５０は、ランプ３６０に対する点灯及び消灯の制御を行うものである。
【００４０】
具体的には、照明制御部３５０は、照明の点灯に係る指示を受け付けると、ランプ３６０を点灯するよう制御する。
（６）ランプ３６０
ランプ３６０は、蛍光灯のような照明器具であり、照明制御部３５０の制御により、点灯及び消灯がなされる。
【００４１】
１．５  動作
（１）照明制御時の動作概要
ここでは、タグリーダ（ＴＲ）１０ａ、タグ２０ａ及び照明機器３０ａを用いて、照明制御システム１の照明制御の動作概要について、図７に示す流れ図を用いて説明する。
タグリーダ１０ａは、周期Ｔ０内に１回、起動信号を発報する（ステップＳ５）。
【００４２】
タグ２０ａは、起動信号を受信すると、照明情報テーブル２３２で記憶している全ての照明識別子を含む応答信号を、ＵＨＦ帯でタグリーダ１０ａへ送信する（ステップＳ１０）。
タグリーダ１０ａは、タグ２０ａから応答信号を受信した後、受信した照明識別子のうち制御すべき照明機器の照明識別子があれば、その照明機器（図７では、照明機器３０ａ）に対して制御信号を送信する（ステップＳ１５）。このとき、照明機器３０ａにおいては、点灯に係る制御がなされる。
【００４３】
（２）通常機能の実行時におけるタグの動作について
ここでは、タグ２０ａが、通常機能の実行時において起動信号を受信した場合の動作について、図８で示す流れ図を用いて説明する。
制御部２７０の照明制御部２７２は、ＬＦ帯送受信部２１０で起動信号を受信したか否かを判断する（ステップＳ１００）。
【００４４】
起動信号を受信したと判断する場合には（ステップＳ１００における「Ｙｅｓ」）、照明制御部２７２は、照明情報テーブル２３２に記憶されている全ての照明識別子を取得する（ステップＳ１０５）。
照明制御部２７２は、取得した全ての照明識別子と、受信したリーダ識別子とを含む応答信号を送信する（ステップＳ１１０）。
【００４５】
起動信号を受信していないと判断する場合（ステップＳ１００における「Ｎｏ」）、処理はステップＳ１００へ戻る。
（３）照明制御時のタグリーダの動作について
ここでは、応答信号を受信したタグリーダ１０ａの動作について、図９で示す流れ図を用いて説明する。
【００４６】
制御部１８０は、小電力送受信部１１５０で応答信号を受信したか否かを判断する（ステップＳ１５０）。
応答信号を受信したと判断する場合には（ステップＳ１５０における「Ｙｅｓ」）、制御部１８０は、制御すべき照明機器が存在するか否かを判断する（ステップＳ１５５）。具体的には、制御部１８０は、照明管理テーブル１７１を用いて、取得した照明識別子のうち、自身が制御すべき照明機器を特定する。制御すべき照明機器が特定された場合には、制御部１８０は、制御すべき照明機器が存在すると判断し、制御すべき照明機器が特定されない場合には制御すべき照明機器が存在すると判断する。
【００４７】
制御すべき照明機器があると判断する場合には（ステップＳ１５５における「Ｙｅｓ」）、制御部１８０は、制御すべき照明機器それぞれの照明識別子を含む制御信号を、当該照明機器へＩ／Ｆ部１１０を介して送信する（ステップＳ１６０）。
応答信号を受信していないと判断する場合（ステップＳ１５０における「Ｎｏ」）、及び制御すべき照明機器がないと判断する場合（ステップＳ１５５における「Ｎｏ」）、処理はステップＳ１５０へ戻る。
【００４８】
（４）登録機能の実行時におけるタグの動作について
ここでは、タグ２０ａが、登録機能の実行時において照明識別信号を受信した場合の動作について、図１０で示す流れ図を用いて説明する。
切替部２７１は、ユーザのボタン２４０の操作により第１切替指示を受け付けたか否かを判断する（ステップＳ２００）。
【００４９】
切替部２７１で第１切替指示を受け付けたと判断される場合（ステップＳ２００における「Ｙｅｓ」）、受光部２８０は、照明識別信号を受信したか否かを判断する（ステップＳ２０５）。
受光部２８０で照明識別信号を受信したと判断される場合（ステップＳ２０５における「Ｙｅｓ」）、登録制御部２７３は、受信された照明識別信号に含まれる全ての照明識別子を、照明情報テーブル２３２へ書き込む（ステップＳ２１０）。
【００５０】
（５）複写処理
ここでは、タグ２０ａと２０ｂと間における複写について、図１１に示す流れ図を用いて説明する。なお、タグ２０ａの構成要素とタグ２０ｂの構成要素とを区別するため、説明の便宜上、タグ２０ｂの構成要素の符号の末尾に“ｂ”を付与する。
タグ２０ａの複写部２７４は、ユーザによるボタン２４０の操作により複写指示を受け付けると（ステップＳ２５０）、照明情報テーブル２３２で保持されている内容（記憶されている全ての照明識別子）をメモリ２３０から取得する（ステップＳ２５５）。
【００５１】
複写部２７４は、取得した照明情報テーブル２３２で保持されている内容を含む複写信号を、小電力送受信部２２０を介して送信する（ステップＳ２６０）。
タグ２０ｂの複写部２７４ｂは、タグ２０ａから送信された複写信号を受信すると（ステップＳ２６５）、受信した複写信号に含まれる内容（記憶されている全ての照明識別子）をメモリ２３０ｂの照明情報テーブル２３２ｂへ登録する（ステップＳ２７０）。
【００５２】
２．変形例１
ここでは、タグが照明機器から可視光通信により受信した時の動作の変形例について説明する。
本変形例１におけるタグは、照明機器から可視光通信により受信すると、受信した可視光の照度がある値（所定値）以上であるときに、照明識別子を取得する。
【００５３】
以下、機能及びその処理について説明する。
本変形例１におけるタグの受光部は、上記実施の形態で示した機能に加えて、受光した可視光の照度を計測する機能をも有している。
本変形例１におけるタグの登録処理部は、計測された照度が所定値以上である場合に、受光した可視光に含まれる照明識別信号から照明識別子を取得する。そして、当該登録処理部は、取得した照明識別子を照明情報テーブルへ記憶する。
【００５４】
次に、登録時の動作について、図１２に示す流れ図を用いて説明する。
本変形例における受光部は、可視光を受光したか否かを判断する（ステップＳ３００）。受光部で、可視光を受光したと判断する場合（ステップＳ３００における「Ｙｅｓ」）、受光部は、受光した可視光の照度を計測する（ステップＳ３０５）。
本変形例の登録処理部は、計測された照度が所定値以上あるか否かを判断する（ステップＳ３１０）。
【００５５】
計測された照度が所定値以上であると判断する場合（ステップＳ３１０における「Ｙｅｓ」）、登録処理部は、受光した可視光に含まれる照明識別信号から照明識別子を取得し、照明情報テーブルへ登録する（ステップＳ３１５）。
可視光を受光していないと判断する場合（ステップＳ３００における「Ｎｏ」）、及び計測された照度が所定値以上でないと判断する場合（ステップＳ３１０における「Ｎｏ」）、処理はステップＳ３００へ戻る。
【００５６】
３．変形例２
ここでは、タグが照明機器から送信された照明識別子の取得に対する変形例について説明する。
上記実施の形態では、可視光を受光する機能、つまり受光部をタグが備えるとしたが、これに限定されない。
【００５７】
可視光を受光し、受光した可視光に含まれる照明識別信号を他装置へ送信する機能を有する装置（機器）を照明制御システムの構成要素に加えてもよい。
この場合における照明制御システム１０００の構成について説明する。
なお、第１の実施の形態と同様の装置（機器）及び機能であるものについては、同一の符号を付し、ここでの説明は省略する。
【００５８】
３．１  概要
照明制御システム１０００は、図１３に示すように、タグリーダ（ＴＲ）１０１０ａ、１０１０ｂと、タグ１０２０ａ〜１０２０ｃと、照明機器３０ａ〜３０ｊと、受光装置１０４０ａ、１０４０ｄとから構成されている。
本変形例においては、ＴＲ１０１０ａは照明機器３０ａ〜３０ｅ及び受光装置１０４０ａ、１０４０ｂと、ＴＲ１０１０ｂは照明機器３０ｆ〜３０ｊ及び受光装置１０４０ｃ、１０４０ｄと、それぞれ有線接続されている。
【００５９】
照明制御システム１０００は、第１の実施の形態で示す照明制御システム１と同様に、フロア１００２内のエリアＡ、Ｂにおいて、エリアに存在するタグとタグリーダとの通信により、当該エリアに存在する照明機器の点灯に係る制御を行う。
ＴＲ１０１０ａ、１０１０ｂは、エリア内に存在するタグと通信を行うために、一定の周期（Ｔ０）毎に、ＬＦ帯の一周波数を用いて起動信号を発報している。この起動信号には、第１の実施の形態と同様に、当該起動信号を発報したリーダ識別子が含まれている。
【００６０】
ＴＲ１０１０ａ、１０１０ｂは、発報した起動信号を受信したタグから、起動信号に対する応答を示す応答信号を受信する。応答信号には、第１の実施の形態と同様に、受信した起動信号に含まれるリーダ識別子と、照明機器それぞれを識別する照明識別子とが含まれている。
ＴＲ１０１０ａ、１０１０ｂは、受信した応答信号に含まれるリーダ識別子を基に当該応答信号が自身宛のものであるか否かを判断する。自身宛であると判断する場合において、ＴＲ１０１０ａ、１０１０ｂは、応答信号に含まれる全ての照明識別子それぞれの対応する照明機器の点灯に係る制御を行う。
【００６１】
照明機器３０ａ〜３０ｊそれぞれは、点灯中において、当該照明機器を識別するための照明識別子を含む照明識別信号を可視光通信により送信している。
受光装置１０４０ａ〜１０４０ｄそれぞれは、照明機器からの可視光を受光し、受光した可視光から照明識別信号を抽出し、その照明識別信号を有線接続されたＴＲへ送信する。
【００６２】
ＴＲ１０ａ、１０ｂは、有線接続された受光装置から照明識別信号を受け取ると、起動信号の発報のタイミングとは異なるタイミングで、受け取った照明識別信号をＬＦ帯で送信する。
タグ１０２０ａ〜１０２０ｃには、第１の実施の形態で示すタグ２０ａ〜２０ｅと同様に、通常機能と登録機能とを有している。
【００６３】
タグ１０２０ａ〜１０２０ｃは、１つ以上の照明機器の照明識別子を記憶している。
タグ１０２０ａ〜１０２０ｃは、通常機能時において、あるエリアにて当該エリアに存在するＴＲから起動信号を受信すると、受信した起動信号に含まれるリーダ識別子と、記憶している全ての照明識別子とを含む応答信号を送信する。
タグ１０２０ａ〜１０２０ｃは、登録機能時において、タグリーダから照明識別子を受信すると、受信した照明識別子を記憶する。
【００６４】
なお、タグ１０２０ａ〜１０２０ｅそれぞれは、第１の実施の形態と同様に、応答信号を送信する場合には、ＵＨＦ帯の一周波数を用いるものとする。
以上により、照明制御システム１０００の概要の説明を終える。
以下、各装置の詳細について説明する。
３．２  タグリーダ１０１０ａ、１０１０ｂ
タグリーダ１０１０ａ、１０１０ｂの構成要素は同じであるので、ここでは、タグリーダ１０１０ａの構成要素について説明する。
【００６５】
タグリーダ１０１０ａは、図１４に示すように、Ｉ／Ｆ部１１１０と、ＬＦ帯送受信部１４０と、小電力受信部（ＵＨＦ帯受信部）１５０と、記憶部１７０と、制御部１１８０とから構成される。
ここでは、第１の実施の形態の構成要素とは異なるＩ／Ｆ部１１１０及び制御部１１８０について説明する。
【００６６】
（１）Ｉ／Ｆ部１１１０
Ｉ／Ｆ部１１１０は、照明機器３０ａ〜３０ｅ及び受光装置１０４０ａと予め定められた通信規格（例えばＲＳ−４８５規格）に従って通信を実行する機能を有する。具体的には、Ｉ／Ｆ部１１０は、照明機器３０ａ〜３０ｅ及び受光装置１０４０ａから送信されてくる信号を制御部１１８０に伝達する機能と、制御部１１８０から伝達されてきた制御信号を照明機器３０ａ〜３０ｅに送信する機能とを有する。
【００６７】
（２）制御部１１８０
制御部１１８０は、予め記憶されているプログラムを実行することによりタグリーダ１０１０ａの各部を制御する機能を有する。
制御部１１８０は、所定の周期Ｔ０毎に１回、起動信号が発報されるようＬＦ帯送受信部１４０の動作を制御する。
【００６８】
制御部１１８０は、小電力受信部１５０で自身宛の応答信号が受信されると、受信した応答信号に含まれる全ての照明識別子を取得する。なお、その後の制御信号を送信するまでの動作は、第１の実施の形態と同様であるので、ここでの説明は省略する。
制御部１１８０は、有線接続された受光装置１０４０ａ、１０４０ｂから照明識別信号を受信すると、所定の周期Ｔ０毎に１回、起動信号の発報のタイミングとは異なるタイミングで、受信した照明識別信号が送信されるようＬＦ帯送受信部１４０の動作を制御する。
【００６９】
３．３  タグ１０２０ａ〜１０２０ｃ
タグ１０２０ａ〜１０２０ｃの構成要素は同じであるので、タグ１０２０ａについてのみ説明する。
タグ１０２０ａは、図１５に示すように、ＬＦ帯送受信部２１０、小電力送受信（ＵＨＦ帯送信部）２２０、メモリ２３０、ボタン２４０、通知部２５０、電池２６０及び制御部１２７０から構成されている。
【００７０】
以下、第１の実施の形態の構成要素とは異なる制御部１２７０について説明する。
（１）制御部１２７０
制御部１２７０は、タグ１０２０ａの各部を制御する機能を有する。制御部１２７０は、図１５に示すように、モード切替部１２７１、照明制御部１２７２、登録処理部１２７３及び複写部１２７４を有している。
【００７１】
（１−１）切替部１２７１
切替部１２７１は、第１の実施の形態で示す切替部２７１と同様であるので、ここでの説明は省略する。
（１−２）照明制御部１２７２
照明制御部１２７２は、通常機能の実行時における制御を行うものである。
【００７２】
照明制御部２７２は、ＬＦ帯送受信部２１０で起動信号を受信すると、記憶している全ての照明識別子を照明情報テーブル２３２から取得する。照明制御部２７２は、取得した全ての照明識別子と、受信した起動信号に含まれるリーダ識別子とを含む応答信号を小電力送受信部２２０を介して送信する。
また、照明制御部１２７２は、通常機能の実行時に、ＬＦ帯送受信部２１０で照明識別信号を受信すると、受信した照明識別信号を破棄する。
【００７３】
（１−３）登録処理部１２７３
登録処理部１２７３は、登録機能の実行時における制御を行うものである。
登録処理部１２７３は、ＬＦ帯送受信部２１０で照明識別信号を受信すると、受信した照明識別信号に含まれる照明識別子を照明情報テーブル２３２へ書き込む（登録する）。なお、本実施の形態においては、ユーザは、タグの登録機能を実行する場合には、制御を所望する照明機器の近くで行うものとする。
【００７４】
また、登録処理部１２７３は、登録機能実行時に、ＬＦ帯送受信部２１０で起動信号を受信すると、受信した起動信号を破棄する。
（１−４）複写部１２７４
複写部１２７４は、第１の実施の形態で示す複写部２７４と同様であるので、ここでの説明は省略する。
【００７５】
３．４  受光装置１０４０ａ〜１０４０ｄ
受光装置１０４０ａ〜１０４０ｄの構成要素は同じであるので、受光装置１０４０ａについてのみ説明する。
受光装置１０４０ａは、図１６に示すように、記憶部１４１０、受光部１４２０、制御部１４３０及びＩ／Ｆ部１４４０から構成されている。
【００７６】
（１）記憶部１４１０
記憶部１４１０は、照明機器から受光した可視光に含まれる照明識別信号の送信先となるタグリーダ（ここでは、ＴＲ１０１０ａ）のリーダ識別子を記憶している。
（２）受光部１４２０
受光部１４２０は、フォトダイオードを含むものである。
【００７７】
受光部１４２０は、フォトダイオードで、可視光を受光すると、受光した光を電気信号へと変換する。
その後、受光部１４２０は、変換された電気信号に対する復調を行い、照明識別信号を取得し、制御部１４３０へ出力する。
（３）制御部１４３０
制御部１４３０は、受光部１４３０で照明識別信号が取得されると、記憶部１４１０で記憶されているリーダ識別子を読み出す。
【００７８】
制御部１４３０は、読み出したリーダ識別子を宛先として取得された照明識別信号を、Ｉ／Ｆ部１４４０を介してＴＲ１０１０ａへ送信する。
（４）Ｉ／Ｆ部１４４０
Ｉ／Ｆ部１４４０は、ＴＲ１０１０ａと予め定められた通信規格（例えばＲＳ−４８５規格）に従って通信を実行する機能を有する。具体的には、Ｉ／Ｆ部１４４０は、ＴＲ１０１０ａから送信されてくる信号を制御部１１８０に伝達する機能と、制御部１４３０から伝達されてきた信号をＴＲ１０１０ａに送信する機能とを有する。
【００７９】
３．５  動作
ここでは、タグリーダ１０１０ａ、タグ１０２０ａ、照明機器３０ａ及び受光装置１０４０ａを用いて、照明識別子の登録時の動作について、図１７に示す流れ図を用いて説明する。
照明機器３０ａは、点灯中において照明識別信号を含む可視光を送信する（ステップＳ４００）。
【００８０】
受光装置１０４０ａは、照明機器３０ａから送信された可視光を受信すると、受信した可視光に含まれる照明識別信号を、有線接続されたタグリーダ１０１０ａへ送信する（ステップＳ４０５）。
タグリーダ１０１０ａは、受光装置１０４０ａから照明識別信号を受け取ると、受け取った照明識別信号を、ＬＦ帯で送信する（ステップＳ４１０。
【００８１】
タグ１０２０ａは、タグリーダ１０１０ａからの照明識別信号を受信すると（ステップＳ４１５）、受信した照明識別信号に含まれる全ての照明識別子を照明情報テーブル２３２へ登録する（ステップＳ４２０）。
４．その他の変形例
上記第１の実施の形態及び変形例１、２において、本発明の実施の手法について説明してきたが、本発明の実施形態がこれらに限られないことは勿論である。以下、本発明として含まれる各種の変形例について説明する。
【００８２】
（１）上記実施の形態において、自身宛の応答信号を受信したタグリーダでは、照明管理テーブルを用いて、受信した照明識別子のうち自身が制御すべき照明機器の識別子の有無を判断していたが、これに限定されない。
タグリーダは、照明管理テーブルを持たない構成としてもよい。この場合、タグリーダは、宛先をブロードキャストアドレスとして、有線接続された照明機器全てに制御信号を送信してもよい。この場合、制御信号には、制御内容（点灯指示）に加えて、制御対象として、受信した全ての照明識別子を含める。
【００８３】
照明機器側では、制御信号を受信すると、制御対象に含まれる全ての照明識別子のうち、自身の照明識別子と同一のものが存在するか否かを判断し、存在する場合には、制御信号の内容に基づく制御を行う。存在しない場合には、照明機器は、受信した制御信号を破棄する。
（２）上記実施の形態では、タグは、１つ以上の照明識別子からなる照明情報テーブルを記憶するとしたが、これに限定されない。
【００８４】
照明情報テーブルは、リーダ識別子と照明識別子とからなる組を記憶するものであってもよい。
この場合、照明機器は、照明識別信号に自身の照明識別と自身と有線接続されたタグリーダのリーダ識別子とを含めて、可視光通信にて送信する。
登録機能の実行時において、可視光通信にて照明識別信号を受信したタグは、リーダ識別子と照明識別子とからなる組を取得し、照明情報テーブルに登録する。
【００８５】
また、通常機能実行において、タグは、起動信号を受信すると、受信した起動信号に含まれるリーダ識別子が照明情報テーブルに保持されているか否かを判断する。保持されていると判断する場合には、対応する照明識別子を全て取得し、取得した全ての照明識別子を応答信号に含めて送信する。
タグリーダは、応答信号を受信すると、受信した応答信号に含まれる全ての照明識別子を取得し、取得した照明識別子それぞれに対応する照明機器へ制御信号を送信する。
【００８６】
また、制御信号を送信する場合には、上述したように宛先をブロードキャストアドレスとして、送信し、照明機器側で制御すべきか否かを判断してもよい。
（３）上記第１の実施の形態において、２つのタグ間での複写処理を無線通信で行ったが、これに限定されない。
２つのタグをケーブルで接続して複写処理を有線通信で行ってもよいし、他の記録媒体や、装置を介在させて複写処理を行ってもよい。
【００８７】
装置を介在させて行う場合には、例えば、タグリーダ１０ａを用いる。
この場合、複写元であるタグ２０ａは、複写信号をタグリーダ１０ａへ、ＵＨＦ帯で送信する。タグリーダ１０ａは、複写信号を受信すると、当該複写信号に含まれるリーダ識別子と照明識別子とからなる全ての組を取得する。タグリーダ１０ａは、取得したリーダ識別子と照明識別子とからなる組を含む配信信号を、ＬＦ帯で送信する。そして、複写先である他のタグは、配信信号を受信すると、当該配信信号に含まれるリーダ識別子と１つ以上の照明識別子とからなる全ての組を照明情報テーブルへ登録する。
【００８８】
（４）上記変形例２において、受光装置は、タグリーダと通信は、無線通信であってもよい。
この場合、無線通信で用いられる周波数帯はＬＦ帯であってもよいし、ＵＨＦ帯であってもよい。または、別の周波数帯であってもよい。例えば、ＨＦ(High Frequency)帯（１３．５６MHz帯）である。
【００８９】
（５）上記実施の形態において、点灯に係る制御として、電源をオンにする制御を一例として挙げたが、これに限定されない。
例えば、タグリーダは、ある一定期間の間（例えば、５分間）、受信した応答信号に含まれるタグ識別子のうち、認証情報テーブルに含まれるタグ識別子と一致した件数をカウントしておき、カウントした値に応じて照明の照度を調整する（調光する）よう制御してもよい。なお、本発明における点灯に係る制御の概念には、調光するよう制御することも含める。
【００９０】
また、ある一定期間の間、応答信号を全く受信しない場合においては、タグリーダは、照明の消灯に係る制御信号を送信してもよい。
（６）上記各実施の形態において、複写処理では、照明情報テーブルに保持されている内容全てを複写の対象としたが、これに限定されない。
照明情報テーブルに保持されている内容の一部を複写の対象としてもよい。
【００９１】
（７）上記各実施の形態において、起動信号はＬＦ帯で、応答信号はＵＨＦ帯でそれぞれ送受信されるとしたが、これに限定されない。
起動信号及び応答信号は同じ周波数帯（例えば、ＬＦ帯）で送受信されてもよい。
また、タグ間での複写処理において、タグリーダが介在する場合には、複写元のタグからタグリーダへ複写信号を送信する場合には、ＬＦ帯で送信してもよい。
【００９２】
また、タグリーダ間での複写処理においても、複写信号をＬＦ帯で送信受信してもよい。
（８）上記実施の形態において、ユーザの操作によりタグの通常機能と登録機能との切り替えが行われたが、これに限定されない。
照明制御システム全体として、タグが通常機能を実行する際の通常モードと、登録機能を実行する際の登録モードとを切り替えてもよい。
【００９３】
（８−１）例えば、タグの操作により、モードの切り替えを行ってもよい。
この場合における各装置（機器）について、第１の実施の形態と異なる点を中心に説明する。
タグの切替部は、ボタンから第１切替指示を受け取ると、上記実施の形態で示す機能を実行するとともに、第１切替指示をＵＨＦ帯でタグリーダへ送信する。
【００９４】
タグの切替部は、ボタンから第２切替指示を受け取ると、上記実施の形態で示す機能を実行するとともに、第２切替指示をＵＨＦ帯でタグリーダへ送信する。
タグリーダは、第１切替指示を受信すると、有線接続された各照明機器に、可視光通信により照明識別信号を送信するよう第１送信指示を送信する。
照明機器はタグリーダから第１送信指示を受け取ると、可視光通信による照明識別信号の送信を行う。
【００９５】
タグリーダは、第２切替指示を受信すると、有線接続された各照明機器に、可視光通信により照明識別信号の送信を中止するよう第２送信指示を送信する。
照明機器はタグリーダから第２送信指示を受け取ると、可視光通信による照明識別信号の送信を中止する。
なお、変形例２においても、上記のように、タグリーダが第１送信指示及び第２送信指示を照明機器へ送信することで、モードの切替を実現できる。または、第１送信指示及び第２送信指示を照明機器を送信するのではなく、タグリーダは、第１切替指示を受け取った後は受光装置から受信した照明識別信号を有効なものとし、第２切替指示を受け取った後は受光装置から受信した照明識別信号を破棄する構成でもモード切替を実現できる。
【００９６】
（８−２）または、タグリーダの操作により、モードの切り替えを行ってもよい。
この場合における各装置（機器）について、第１の実施の形態と異なる点を中心に説明する。
タグリーダは、ユーザの操作により第１切替指示を受け付けると、上述した第１送信指示を、有線接続された各照明機器へ送信し、さらに、第１切替指示をＬＦ帯で送信する。
【００９７】
各照明機器の動作は、上述した動作と同様であるので、ここので説明は省略する。
タグは、ＬＦ帯送受信部で第１切替信号を受信すると、登録処理部の機能を有効にし、照明制御部の機能を無効にする。以降の動作は、第１の実施の形態と同様であるので、ここでの説明は省略する。
タグリーダは、ユーザの操作により第２切替指示を受け付けると、上述した第２送信指示を、有線接続された各照明機器へ送信し、さらに、第２切替指示をＬＦ帯で送信する。
【００９８】
各照明機器の動作は、上述した動作と同様であるので、ここので説明は省略する。
タグは、ＬＦ帯送受信部で第２切替信号を受信すると、登録処理部の機能を無効にし、照明制御部の機能を有効にする。以降の動作は、第１の実施の形態と同様であるので、ここでの説明は省略する。
なお、変形例２においても、上記のように、タグリーダが第１送信指示及び第２送信指示を照明機器へ送信し、第１切替指示及び第２切替指示をＬＦ帯で送信することで、モードの切替を実現できる。または、第１送信指示及び第２送信指示を照明機器を送信するのではなく、タグリーダは、第１切替指示を受け取った後は受光装置から受信した照明識別信号を有効なものとし、第２切替指示を受け取った後は受光装置から受信した照明識別信号を破棄する構成でもモード切替を実現できる。
【００９９】
（９）上記実施の形態において、照明機器は点灯中には常に、可視光通信を行うとしたが、これに限定されない。
可視光通信は、タグリーダからの指示により開始されてもよいし、タグからの指示により開始されてもよい。
例えば、タグリーダからの指示は、ユーザの操作により可視光通信の開示指示を受け付けてもよい。
【０１００】
また、タグからの指示による開始は以下のように行う。タグは、ユーザの操作により可視光通信の開示指示を受け付けると、その開始指示をタグリーダへＵＨＦ帯で送信する。タグリーダは、タグからの開始指示を受け取ると、可視光通信を開始するよう照明機器を制御する。
（１０）上記実施の形態において、照明機器から照明識別子を送信する場合に、可視光通信を用いたが、これに限定されない。
【０１０１】
可視光通信の代わりに、赤外線通信を用いてもよい。
（１１）上記の実施の形態において、リーダ識別子の一例としてＭＡＣアドレスを挙げたが、これに限定されない。
リーダ識別子は、ＴＲを識別するためのものであればよい。例えば、他の例として、ＩＰアドレスや、予め一意に割り当てられたＩＤである。
【０１０２】
また、タグ識別子においても同様に、タグを識別するためのものであればよい。例えば、ＭＡＣアドレス、ＩＰアドレスや、予め一意に割り当てられたＩＤである。
また、照明識別子においても同様に、照明機器を識別するためのものであればよい。例えば、ＭＡＣアドレス、ＩＰアドレスや、予め一意に割り当てられたＩＤである。
（１２）上記実施の形態において、可視光通信に用いる光源（ＬＥＤ）と、照明の光源（蛍光灯）とは異なるものとしたが、これに限定されない。
【０１０３】
照明に用いる光源をＬＥＤとして、可視光通信と共用してもよい。
（１３）上記実施の形態において、登録指示はボタンから行うものとしたが、これに限定されない。
音声により登録指示を受け付けてもよい。つまり、タグは、登録指示を受け付けることのできる機構であれば、どのような機構であってもよい。  
【０１０４】
（１４）上記の実施の形態で説明した手法は装置や集積回路で実現されてもよい。また、上記の手法の手順を記述したプログラムをメモリに記憶しておき、ＣＰＵ（Ｃｅｎｔｒａｌ  Ｐｒｏｃｅｓｓｉｎｇ  Ｕｎｉｔ）などがメモリからプログラムを読み出して、読み出したプログラムを実行することによって、上記の手法が実現されるようにしてもよい。
【０１０５】
（１５）上記の実施の形態で説明した手法の手順を記述したプログラムを記録媒体に格納して、頒布するようにしてもよい。
（１６）上記実施の形態及び上記変形例をそれぞれ組み合わせるとしてもよい。
５．補足
（１）本発明の一実施態様である、照明制御システムは、複数の照明機器のうち関連付けがなされている照明機器それぞれを識別する照明識別子を記憶する記憶手段、及び記憶されている照明識別子を無線で送信する第１送信手段を備えるタグと、前記タグから前記照明識別子を受信すると、受信した前記照明識別子が示す照明機器に対して点灯に係る制御を行う制御手段を備えるタグリーダとから構成されることを特徴とする。
【０１０６】
この構成によると、照明制御システムは、タグが自身で記憶している照明識別子を送信し、送信された照明識別子を受信したタグリーダが当該受信した照明識別子に基づいて点灯に係る制御を行う。これにより、照明制御システムは、照明機器の制御を人の操作を介することなく行うことができる。
（２）ここで、前記タグには、当該タグで記憶されている照明識別子それぞれに対応する照明機器の制御を行う通常モードと、照明識別子を前記タグへ登録する登録モードとがあり、前記複数の照明機器は、当該照明機器が点灯中に、当該照明機器の照明識別子を送信する第２送信手段を備え、前記タグは、さらに、登録モードにおいて、前記第２送信手段から送信された照明識別子を受信する識別子受信手段と、受信した照明識別子を前記記憶手段へ登録する登録手段とを備えるとしてもよい。
【０１０７】
この構成によると、通常モードにおいてタグの所有者が所望する照明機器の制御を行うために、登録モードにおいて、タグの所有者が制御を所望する照明機器からの照明識別子を当該タグが受信して、記憶手段へ登録する。これにより、照明制御システムは、接続されたタグリーダや照明機器のアドレス管理を行わなくても、通常モードで制御を所望する照明機器に対する照明識別子のタグへの登録を容易に行うことができる。また、登録モードで照明機器の照明識別子の登録が行われることで、タグの所有者は、通常モード時において登録された照明機器の制御を行うことができるようになる。
【０１０８】
（３）ここで、前記第２送信手段は、可視光伝送又は赤外線伝送により前記照明識別子を送信し、前記識別子受信手段は、前記可視光伝送又は前記赤外線伝送により送信された可視光又は赤外線を受光するものであり、前記タグは、さらに、前記識別子受信手段による受光感度を測定する測定手段を備え、前記登録手段は、測定した受光感度が所定以上である場合に、受光した可視光又は赤外線に含まれる照明識別子を前記記憶手段へ登録するとしてもよい。
【０１０９】
この構成によると、照明制御システムは、受光感度が所定値以上である場合に、受信した照明識別子を登録するので、登録対象とする照明機器を絞り込むことができる。例えば、タグの所有者が制御を所望する照明機器からの可視光又は赤外線を受光するとともに、当該照明機器とは離れた照明機器からの可視光又は赤外線を受光する場合がある。このような場合、制御を所望する照明機器から離れた照明機器からの可視光又は赤外線を受光感度は、制御を所望する照明機器からの可視光又は赤外線を受光感度よりは低いものとなっているので、上記の構成により、受光感度が低いもの、つまりタグの所有者が制御を所望しない照明機器を誤って登録することを防ぐことができる。
【０１１０】
（４）ここで、前記第２送信手段は、可視光伝送又は赤外線伝送により前記照明識別子を送信し、前記照明制御システムは、さらに、前記赤外線伝送又は可視光伝送により送信された前記照明識別子を受信し、受信した前記照明識別子を前記タグリーダへ送信する送受信装置を備え、前記タグリーダは、さらに、前記送受信装置から受信した前記照明識別子を、無線通信により送信する無線送信手段を備え、前記識別子受信手段は、前記無線手段で送信された前記照明識別子を受信するとしてもよい。
【０１１１】
この構成によると、照明制御システムのタグは、送受信装置及びタグリーダを介して、照明識別子を受信するので、タグ自身に可視光又は赤外線の受光部を設ける必要がない。そのため、タグ自身に受光部を設ける場合に比べて、当該照明制御システムのコストは低いものとなる。
（５）ここで、前記第２送信手段は、前記タグリーダからの開始指示、又は前記タグからの開始指示により、前記照明識別子の送信を開始するとしてもよい。
【０１１２】
この構成によると、照明制御システムは、照明識別子の送信開始のタイミングを設けることができる。これにより、照明制御システムは、常に照明識別子の送信を送信している場合に比べて、運用の維持コストを抑えることができる。
（６）ここで、前記タグは、さらに、他のタグへ前記記憶手段で記憶されている照明識別子を複写する複写指示を受け付ける受付手段と、前記複写指示が受け付けられると、前記記憶手段で記憶している全ての照明識別子又は一部の照明識別子を前記他のタグへ複写する複写手段とを備えるとしてもよい。
【０１１３】
この構成によると、タグは自身が記憶している照明識別子を他のタグへ複写する。これにより、照明制御システムにおいて、他のタグに対する照明識別子の登録を容易に行うことができる。
（７）ここで、前記タグは、さらに、他のタグへ前記記憶手段で記憶されている照明識別子を複写する複写指示を受け付ける受付手段とを備え、前記送信手段は、さらに、前記複写指示が受け付けられると、前記記憶手段で記憶している全ての照明識別子又は一部の照明識別子を含む複写情報を前記タグリーダへ送信し、前記タグリーダは、さらに、前記複写情報を受信する受信手段と、前記複写情報が受信されると、前記他のタグへ前記複写情報に含まれる照明識別子を複写する複写手段とを備えるとしてもよい。
【０１１４】
この構成によると、タグは、自身が記憶している照明識別子を、タグリーダを介して他のタグへ複写する。これにより、照明制御システムは、他のタグに対する照明識別子の登録を容易に行うことができる。
（８）ここで、前記照明制御システムには、前記タグと関連付けられた照明機器の制御を行う通常モードと、照明識別子を前記タグへ登録する登録モードとがあり、前記複数の照明機器は、前記登録モードにおいて当該照明機器が点灯中に、当該照明機器の照明識別子を送信する第２送信手段を備え、前記タグは、さらに、前記登録モードにおいて、前記第２送信手段から送信された照明識別子を受信する識別子受信手段と、受信した照明識別子を前記記憶手段へ登録する登録手段とを備えるとしてもよい。
【０１１５】
この構成によると、照明制御システムは、タグの所有者がある照明機器に対する制御を所望する場合において、接続されたタグリーダや所望する照明機器のアドレス管理を行わなくても、照明制御システムのモードを登録機モードとすることで、所望する照明識別子のタグへの登録を容易に行うことができる。
【符号の説明】
【０１１６】
１    照明制御システム
２    フロア
１０ａ、１０ｂ  タグリーダ（ＴＲ）
２０ａ〜２０ｅ  タグ
３０ａ〜３０ｊ  照明機器
１１０    Ｉ／Ｆ部
１４０    ＬＦ帯送受信部
１４１    ＬＦアンテナ
１５０    小電力受信部
１５１    ＵＨＦアンテナ
１７０    記憶部
１７１    照明管理テーブル
１８０    制御部
２１０    ＬＦ帯送受信部
２１１    ＬＦアンテナ
２２０    小電力送受信部
２２１    ＵＨＦアンテナ
２３０    メモリ
２３２    照明情報テーブル
２４０    ボタン
２５０    通知部
２６０    電池
２７０    制御部
２７１    切替部
２７２    照明制御部
２７３    登録処理部
２７４    複写部
２８０    受光部
【図１】
0005639366.tif 000002
【図２】
0005639366.tif 000003
【図３】
0005639366.tif 000004
【図４】
0005639366.tif 000005
【図５】
0005639366.tif 000006
【図６】
0005639366.tif 000007
【図７】
0005639366.tif 000008
【図８】
0005639366.tif 000009
【図９】
0005639366.tif 000010
【図１０】
0005639366.tif 000011
【図１１】
0005639366.tif 000012
【図１２】
0005639366.tif 000013
【図１３】
0005639366.tif 000014
【図１４】
0005639366.tif 000015
【図１５】
0005639366.tif 000016
【図１６】
0005639366.tif 000017
【図１７】
0005639366.tif 000018